Podtech/llm-jp-corpus-v4-ja_patent huggingface dataset:
(57)【要約】      （修正有）【課題】人工透析における抜針後の止血に関して、患者ごと及び医療従事者ごとによって生じる圧迫力の差をできるだけ少なくし、また、出血の有無を目視で確認することができる止血用絆創膏を提供する。【解決手段】止血用絆創膏は、穿刺孔の上を覆うパッド３と目盛り１を有した被巻付物に巻きつける粘着テープからなる。該止血用絆創膏は、パッド３を目視確認できるよう透明又は半透明の基材を用いる又は窓２を有していてもよい。【選択図】図１
0003204106.tif 000002
【実用新案登録請求の範囲】
【請求項１】
血管に対する穿刺孔の上を覆うパッドと、該パッドを上記穿刺孔の上に押圧定置するように被巻付物に巻きつける粘着テープを有する止血用絆創膏において、該粘着テープに目盛りがついている止血用絆創膏。
【請求項２】
粘着テープの該パッドを覆う部分において、該パッドを目視確認できるよう透明の基材を用いる又は窓を有する請求項１記載の止血用絆創膏。
【考案の詳細な説明】
【技術分野】
【０００１】
本考案は止血用絆創膏に関する。
【先行技術文献】
【特許文献】
【０００２】
【特許文献１】実公昭５６−３７７０８
【考案の概要】
【考案が解決しようとする課題】
【０００３】
人工透析における抜針後の止血は、圧迫力の不足や止血時間の不足が透析患者に危険をもたらすこともある極めて重要な医療行為である。人工透析では止血の際、基本的には用手圧迫しているが、患者ごと及び医療従事者ごとによって圧迫力に差が生じ、これが止血時間に影響している。本考案１ではこの圧迫力の差をできるだけ少なくすることを課題としている。また本考案２ではさらに出血の有無を目視で確認することを課題としている。
【課題を解決するための手段】
【０００４】
上記課題を解決するために、本考案1の止血用絆創膏は、血管に対する穿刺孔の上を覆うパッドと、該パッドを上記穿刺孔の上に押圧定置するように被巻付物に巻きつける粘着テープを有する止血用絆創膏において、該粘着テープに目盛りがついている。ここで該粘着テープは患者の腕に１周以上巻くことができる十分な長さを持っていることが好ましい。また該粘着テープは必ずしも全面に粘着剤がついている必要はなく、たとえば粘着テープの両末端のみ粘着剤がついていてもよい。本考案２の止血絆創膏は、パッドを覆う部分に、該パッドを目視確認できるよう透明又は半透明の基材を用いる。或いは一部を透明フィルム等で可視化させた窓を有する。
【考案の効果】
【０００５】
本考案1の止血用絆創膏は、粘着テープに目盛りがついているため、この目盛りを目安として患者ごとに圧迫力を調節することができる。本考案２の止血絆創膏は、パッドを覆う部分に、該パッドを目視確認できる窓を有するため、出血の有無を目視で確認することができる。
【図面の簡単な説明】
【０００６】
【図１】本考案の止血絆創膏の一例を真上から見た図である。
【図２】本考案の止血絆創膏の使用状態を示す参考図である。
【考案を実施するための形態】
【０００７】
以下に本考案の実施形態を記載するが本考案は以下の実施形態だけに限定されるものではない。
【０００８】
本考案の実施形態の一例を図１に示す。本考案の実施形態では、止血用絆創膏は、血管に対する穿刺孔の上を覆うパッドと、該パッドを上記穿刺孔の上に押圧定置するように被巻付物に巻きつける粘着テープを有する止血用絆創膏において、該粘着テープに目盛りがついている。またパッドを覆う部分の幅を広くして腕時計型の形状にしてもよく、さらに、パッドを覆う部分に、該パッドを目視確認できるよう透明又は半透明の基材を用いてもよい。或いは一部を透明フィルム等で可視化させた窓を有していてもよい。
【０００９】
本考案の粘着テープの基材としては公知の絆創膏に使われているものを用いることができる。たとえば紙、不織布、プラスチック等を用いてもよい。
【００１０】
本考案の粘着テープの粘着剤としては公知の絆創膏に使われているものを用いることができる。たとえばゴム系粘着剤、アクリル系粘着剤、シリコーン系粘着剤、ウレタン系粘着剤等を用いてもよい。
【００１１】
本考案の粘着テープは患者の腕に一周以上巻く長さがあることが好ましく、これにより自背面に貼り付けられた粘着テープの末端の位置を目盛りで確認し、圧迫力を調節できる。
【産業上の利用可能性】
【００１２】
本考案は止血用絆創膏として利用することができる。
【符号の説明】
【００１３】
１．目盛り
２．窓
３．パッド
【図１】
0003204106.tif 000003
【図２】
0003204106.tif 000004
(57)【要約】【課題】電子機器の筐体内に設けられた基板に対して脱着自在の電子部品を、基板の電子部品取付部に結束バンドにより極簡単に固定できる電子部品の取付装置を提供する。【解決手段】電子機器の筐体内に設けられた基板１に対して脱着自在の電子部品３を、前記基板１の電子部品取付部に結束バンド４により固定する電子部品の取付装置において、前記電子部品取付部の横に形成した電子部品取付部孔２ａと、前記基板の上方より前記電子部品取付部孔へ挿入した前記結束バンドを前記基板の下方より引き抜く際のガイドとなる基板端の切欠き部２ｂとを設けたことを特徴とする電子部品の取付装置。【選択図】図１
0003204108.tif 000002
【実用新案登録請求の範囲】
【請求項１】
電子機器の筐体内に設けられた基板に対して脱着自在の電子部品を、前記基板の電子部品取付部に結束バンドにより固定する電子部品の取付装置において、前記電子部品取付部の横に形成した電子部品取付部孔と、前記基板の上方より前記電子部品取付部孔へ挿入した前記結束バンドを前記基板の下方より引き抜く際のガイドとなる基板端の切欠き部とを設けたことを特徴とする電子部品の取付装置。
【請求項２】
前記基板端の切欠き部は、前記基板の端部にオープン状態で設けられていることを特徴とする請求項１に記載の電子部品の取付装置。
【請求項３】
前記基板端の切欠き部の形状は四角であり、前記結束バンドと接する一辺が前記結束バンドの幅より長いことを特徴とする請求項１および２記載の電子部品の取付装置。
【考案の詳細な説明】
【技術分野】
【０００１】
本考案の実施形態は、基板に対して脱着する電子部品の取付装置に関する。
【背景技術】
【０００２】
従来、電子機器には、電子部品を実装した基板を筐体内に設置したものがある。電子部品の多くは基板に半田付けで固定されている。前記従来の電子部品の固定構造では、基板に固定する電子部品の外周にゴム管を嵌着し、さらにゴム管の外周を螺旋部で巻回した固定バンドにより電子部品を基板に固定した構造となっている。一方、電子機器に設けられたバックアップ電池のような棒状の電子部品を基板に固定する電子部品の取付装置などが公知である。
【考案の概要】
【考案が解決しようとする課題】
【０００３】
特許出願公開公報（特開２００５−４５０３０）に開示された電子部品の取付装置では、結束バンドを使用して電子部品を基板に取り付けるが、基板の上方から結束バンドを挿入した後、基板の下方から結束バンドを引き抜くことが難しいという課題があった。
【課題を解決するための手段】
【０００４】
前記課題を解決するために、本考案の電子部品の取付装置は、電子機器の筐体内に設けられた基板に対して脱着自在の電子部品を、前記基板の電子部品取り付け部に結束バンドにより固定する電子部品の取付装置において、前記電子部品取付部の横に形成した電子部品取付部孔と、前記基板の上方より前記電子部品取付部孔へ挿入した前記結束バンドを前記基板の下方より引き抜く際のガイドとなる基板端の切欠き部とを設けることにより、基板の下方より結束バンドを容易に引き抜くことができる。
【図面の簡単な説明】
【０００５】
【図１】本考案の実施形態に係る電子部品の取付装置の断面図。
【図２】本考案の実施形態に係る電子部品の取付装置の上面図。
【考案を実施するための形態】
【０００６】
以下、図面を参照して本考案の実施形態について説明する。
図１は、基板１より電子部品３を取り外した状態の電子機器の断面図、図２は電子部品３を取り付けた状態の上面図である。電子機器の筐体１は、例えば上面が開口した構造で、ビス等の固着具３により、筐体１内に基板１が固定されている。基板１は、例えば図示しない電子部が実装されたプリント基板であって、バックアップ電池のように定期的に交換が必要な電子部品３の取付部には、電子部品3を挟み込む結束バンド４が挿入される電子部品取付部孔２ａと基板端の切欠き部２ｂで形成されている。基板端の切欠き部２ｂは、基板１の端部にオープン状態で設けられており、その形状は四角、Ｖ字または半円の何れかである。
【０００７】
一方、基板１に電子部品３を固定する結束バンド４は、通常タイラップと呼ばれているもので、全体が樹脂によりいったい成形された紐状物により、一端側が剣先状となっていると共に、他端側には、一端側が挿入可能な角筒上の係止部６が形成されている。また、結束する際内側となる面には、長手方向と直交する方向に鋸歯状の係止突条６ｂが形成されており、係止部６ａには、係止突状６ｂを係止する係止片が突設されている
【０００８】
次に、構成された電子部品の取付装置における電子部品の取付および取り外しについて説明する。
電子機器の使用状態では、電子部品３は図２に示すように電子部品取付部に装着され、電子部品取付部孔２ａに挿通された結束バンド４により結束されて基板１上に固定されている。また、電子部品３が、電子機器のメモリ等をバックアップするバックアップ電池の場合、定期的に交換する必要がある。電子部品３の交換に当たっては、まずニッパ等の工具を使用して結束バンド４を切断し、基板1より古い電子部品３を取り外す。
【０００９】
次に、結束バンド４を図1に示すように上方より電子取付部孔２ａに挿入したら、基板下の筐体に跳ね返りＵ字形に屈曲させた状態で、基板端の切欠き部２ｂを通して、結束バンド４の一端を基板1の上方に出し、係止部６ａに挿入して、結束バンド４を締め付けることにより、基板1の電子部品取付部に新たな電子部品3を取り付けるもので、結束バンドの余長部分は、ニッパ等の工具で切断することによって、図２に示すように基板1に電子部品を固定することができる。この際、基板端の切欠き部２ｂは基板１の端部にオープン状態で設けられていることにより、結束バンド４を基板１の下方から引き抜くことが容易にできる。
【００１０】
更に、基板端の切欠き部２ｂの形状が四角であり、その一辺の長さが結束バンド４の幅より若干長い場合、結束バンド４を締め付ける際に結束バンド４が基板端の切欠き部２ｂの一辺全体と密接させることができ、所定位置に安定して固定することができる。尚、基板端の切欠き部２ｂの形状は、Ｖ字や半円等の他の形状でも良い。
【００１１】
尚、本考案の実施形態は、例として提示したものであり、考案の範囲を限定することは意図していない。これらの新規な実施形態は、その他の様々な形態で実施されることが可能であり、考案の要旨を逸脱しない範囲で種々の省略、置き換え、変更を行なうことができる。これら実施形態やその変形は、考案の範囲や要旨に含まれるとともに、実用新案登録請求の範囲に記載された考案とその均等の範囲に含まれる。
【符号の説明】
【００１２】
1・・・ 基板
2a・・・電子部品取付部孔
2b・・・基板端の切欠き部
3・・・電子部品
4・・・結束バンド
5・・・固着具
6・・・係止部
【図１】
0003204108.tif 000003
【図２】
0003204108.tif 000004
(57)【要約】      （修正有）【課題】本考案は、スマートフォン，タブレット，眼鏡，手鏡などを水拭きクリーニングする携帯用のクリーナーを提供する。【解決手段】本考案は、クリーナー布地４と水拭き用の液体を携行するための小容器５を美粧した小袋１に出し入れ自在に収納して、または紐付きリングに取外し自在に取付けて、クリーナー布地４にてスマートフォン，タブレット，眼鏡レンズ，手鏡などを水拭きクリーニングするようにして、上記の課題を解決する。【選択図】図１
0003204147.tif 000002
【実用新案登録請求の範囲】
【請求項１】
クリーナー布地と水拭き用の液体を携行するための小容器を美粧した小袋に出し入れ自在に収納して、クリーナー布地にてスマートフォン，眼鏡レンズ，手鏡などを水拭きクリーニングするようにしたことを特徴とする携帯用のクリーナー。
【請求項２】
クリーナー布地と水拭き用の液体を携行するための小容器を紐付きリングに取外し自在に取付けた請求項１に記載の携帯用のクリーナー。
【請求項３】
クリーナー布地はマイクロファイバークロスである請求項１または２に記載の携帯用のクリーナー。
【考案の詳細な説明】
【技術分野】
【０００１】
この考案は携帯用のクリーナー、詳しくはスマートフォン，眼鏡レンズなどを拭きクリーニングする携帯用のクリーナーに関するものある。
【背景技術】
【０００２】
この種のクリーナーとして実用新案登録第３０９２９１９号公報がある。この公報は縫いぐるみの背中にファスナーにて開閉するポケットを設けて手拭き用のクリーナー布地を出し入れするようにしたことを記載している。
【特許文献１】実用新案登録第３０９２９１９号公報
【考案の開示】
【考案が解決しようとする課題】
【０００３】
しかしながら、手拭きは乾燥した状態より水分を垂らすなどして濡れた状態下での水拭きがきれいになるとして好まれるが、上記の公報はこの効果のある水拭きの記載に全く欠けているという課題がある。
【課題を解決するための手段】
【０００４】
本考案は水拭き用の液体を携行するための小容器をクリーナー布地とともに携帯用の小袋内に出し入れ自在に収納して、小容器よりクリーナー布地または被クリーニング物に液体を垂らして濡らしておいて水拭きするようにして、かかる課題を解決したのである。
【考案の効果】
【０００５】
本考案は被クリーニング物を水拭きすることで、被クリーニング物は格段にきれいにクリーニングされるという効果を生ずる。
【０００６】
クリーナー布地のマイクロファイバークロスは目に見えない凹凸に入り込み、ほこりを残すことなく拭き取るという効果を生ずる。
【０００７】
小容器は小袋内に出し入れ自在にて収納するので、水拭き用の液体を常時補給することができるという効果を生ずる。
【図面の簡単な説明】
【０００８】
【図１】（ａ）はクリーナー布地と小容器を収納した状態の小袋の斜視図、（ｂ）は小容器を取り出した状態の斜視図、（ｃ）は小袋を反転してクリーナー布地を取り出した状態を示す斜視図
【図２】使用状態を示す斜視図
【図３】クリーナー布地を小袋の掛止具から取り外した状態を示す斜視図
【図４】クリーナー布地と小容器を紐付きリングに取付けた例を示す斜視図
【符号の説明】
【０００９】
１は小袋
２は開口
３は提げ紐
４はクリーナー布地
５は小容器
５ａは蓋
５ｂは紐またはチェーン
６は掛止具
７はスマートフォン
８は紐付きリング
【考案を実施するための最良の形態】
【００１０】
本考案は、携帯用として美粧した小袋内にクリーナー布地と水拭き用の液体を携行するための小容器を出し入れ自在に収納して携帯用のクリーナーとする。
【実施例１】
【００１１】
図１乃至図４は本考案の実施例であって、毛糸の手編み，人形，動物などの縫いぐるみ、その他の材料と手段にて手掌に入る程の美粧した小袋１を形成する。小袋１の開口２に開口２の閉め弛め用を兼ねる提げ紐３を設けて、この開口２より小袋１内にクリーナー布地４および水拭き用の液体を携行するための小容器５を出し入れ自在に収納する。
【００１２】
クリーナー布地４は小袋１に出し入れ可能にてつなぎ、または図３に示すように掛止具６などにて小袋１に取り外しができるようにつなぐこともある。なお、小容器５内の液体は水道水または洗剤入りの水道水が適当している。
【００１３】
このようにして形成した携帯用のクリーナーは鞄，ハンドバッグ，リュックサックなどの内部に入れて携帯し、スマートフォン７の画面などが曇り汚れたときに取り出して、小容器５内の液体を１滴，２滴垂らしてクリーナー布地４の一部またはスマートフォンの画面６の一部を濡らして指先に巻き付けたクリーナー布地４にてクリーニングするのである。いわゆる水拭きをするのである。水拭きは乾いた状態よりはるかにきれいに曇りや汚れを落とすことができることとなる。
【００１４】
このようにして眼鏡のレンズ，手鏡、その他の携帯物の光沢部分（いずれも図示してない）も水拭きしてきれいにするのである。水拭き後に空拭きして乾かすこともできる。
【００１５】
クリーナー布地４としては木綿生地のほか、吸水性を有して性能的に優れたマイクロファイバークロスが適当している。採択するマイクロファイバークロス（超極細繊維）は、ポリエステル７０％〜９０％とナイロン３０％〜１０％の割合の組成よりなり、目に見えない凹凸に入り込み、ほこりを残すことなく拭き取ることができて、しかも吸水性と乾燥性に優れているという特性がある。
【００１６】
液体を携行するための小容器５は例えば香水容器のように細かい霧状にて液体を噴霧するもの、目薬容器のように少量の液体を滴下するものにて形成することもある。
【００１７】
しかしてクリーナー布地４は、小袋１内に収納する形態のほか、細帯状に形成して紐付きリング８に中間部分を結び付けて取付けることもある。結び部分で２分されたクリーナー布地４は一方を濡らして水拭きクリーニングし、他方で仕上げ拭きをして乾かすことができる。また眼鏡のレンズを挟み拭きすることもできる。液体を入れた小容器５も蓋５ａに吊り下げ用の紐またはチェーン５ｂなどを取付けてリングにクリーナー布地４と一緒に吊り下げるようにすることもある。
【産業上の利用可能性】
【００１８】
本考案の携帯用のクリーナーは水拭きを可能にすることで広く利用されることとなる。
【図１】
0003204147.tif 000003
【図２】
0003204147.tif 000004
【図３】
0003204147.tif 000005
【図４】
0003204147.tif 000006
(57)【要約】【課題】眼鏡の形状・サイズに合わせて使用することができ、装脱が簡単で、効果的に花粉の侵入を防止することができる眼鏡装着用花粉防止用具を提供する。【解決手段】使用者の顔面と眼鏡との隙間を塞ぐ平板の本体２と、本体２の縁部から突出し眼鏡の前部に係着する係着部材３と、本花粉防止用具１を眼鏡のテンプルに仮固定するための狭着部材４によって構成される。また、本体２は変形可能な弾性部材より成り、さらに、本体２の上縁部には可塑性の支持棒２３が長手方向に設置されている。  装着に際しては、本体２と支持棒２３を眼鏡の形状・サイズに合わせて指力で変形させ、係着部材３を眼鏡鼻当て近辺のリム又は／及びレンズに係着させ、狭着部材４で眼鏡の左右のテンプルを挟み込むことにより本用具１を眼鏡に仮固定する。【選択図】図４
0003204142.tif 000002
【実用新案登録請求の範囲】
【請求項１】
眼鏡に装着する花粉防止用具であって、
平板の本体と、
前記本体の縁部から突出し前記眼鏡の前部に係着する係着部材と、
前記本体の両端部に設置され前記眼鏡のテンプルを挟む挟着部材と、
から成ることを特徴とする花粉防止用具。
【請求項２】
前記本体は変形可能な弾性部材より成ることを特徴とする請求項１記載の花粉防止用具。
【請求項３】
前記本体の表面、裏面又は内部には可塑性を有する支持棒が前記本体長手方向に設置されていることを特徴とする請求項１又は２記載の花粉防止用具。
【考案の詳細な説明】
【技術分野】
【０００１】
本考案は、眼鏡に装着する花粉防止用具に関する。
【背景技術】
【０００２】
花粉症の患者数は年々増加し、花粉の飛散時期になると、多くの人が目や鼻孔を花粉から防護する必要が生じる。鼻孔の防護についてはマスクの装着が、また、目の防護については、花粉防止用の眼鏡を使用するのが一般的である。
【先行技術文献】
【特許文献】
【０００３】
【特許文献１】特開２００７−９３６５９号
【特許文献２】特開２０１５−６８９６４号
【考案の概要】
【考案が解決しようとする課題】
【０００４】
上述したように、花粉が目に入らないようにするには専用の眼鏡を装着するのが一般的であるが、ふだんから視力矯正用眼鏡を装着している人は、外すわけにはいかないので使用が困難である。また、花粉防止用の眼鏡はゴーグルのような特殊な形状のものが多く、社会生活には不向きである。
【０００５】
特許文献１には、安価で作成が容易な簡易防塵眼鏡についての提案がなされているが、伸縮性の布を目の周辺に密着させるため、装着感に問題があるうえ、奇怪な風貌となる。また、前述したように眼鏡をかけている人は装着できない。特許文献２には、眼鏡のレンズ又はリムに取り付けて使用するファッション性のある眼鏡用防塵具の発明が開示されている。しかしながら、眼鏡の形状・サイズは様々である一方で、前記防塵具は取付部材間のサイズが固定しているため、形状・サイズが異なる眼鏡には装着できないという問題がある。
【０００６】
上述の問題に鑑み、本考案においては、眼鏡の形状・サイズに合わせて使用することができ、装脱が簡単で、効果的に花粉の侵入を防止することができる眼鏡装着用花粉防止用具を提供することを課題とする。
【課題を解決するための手段】
【０００７】
上記課題を解決するために、本考案に係る眼鏡装着用花粉防止用具は、使用者の顔面と眼鏡との隙間を塞ぐ平板の本体と、前記本体の縁部から下方向に突出し眼鏡の前部に係着する係着部材と、前記花粉防止用具の側壁部を眼鏡のテンプルに仮固定するための狭着部材とによって構成される。また、前記本体は変形可能な弾性部材より成り、さらに、前記本体の上縁部には可塑性の支持棒が前記本体長手方向に設置されている。
【０００８】
装着に際しては、前記本体と前記支持棒を眼鏡の形状・サイズに合わせて指力で変形させ、前記係着部材を眼鏡鼻当て近辺のリム又はレンズに係着させ、さらに、前記狭着部材で眼鏡の左右のテンプルを挟み込むことにより本用具を眼鏡に仮固定する。
【考案の効果】
【０００９】
専用の花粉防止用眼鏡ではなく、眼鏡装着用の用具であるため、日常的に矯正用メガネを使用している人も、本用具を使用し花粉を防止することができるようになる。
【００１０】
眼鏡のフレームに合わせて本体を変形させることができるため、形状・サイズが異なる眼鏡への装着が可能となる。
【００１１】
眼鏡前部への係着と両テンプルへの狭着という、簡単な操作による装脱が可能となる。
【図面の簡単な説明】
【００１２】
【図１】本実施形態の花粉防止用具の使用前の状態を示す斜視図である。
【図２】本実施形態の花粉防止用具を眼鏡に合わせて変形した状態を示す斜視図である。
【図３】本実施形態の花粉防止用具の狭着部材（クリップ）の斜視図である。
【図４】本実施形態の花粉防止用具を眼鏡に装着した状態を示す斜視図である。
【考案を実施するための形態】
【００１３】
本考案に係る眼鏡装着用花粉防止用具１は、図１に示すように、本体２、係着部材３及び挟着部材４によって構成される。
【００１４】
本実施形態においては、本体２は変形可能なポリプロピレンを素材とし、装着時に眼鏡と額との隙間を塞ぐ橋梁部２１と、こめかみとの隙間を塞ぐ側壁部２２によって形成されている。また、本体２の前方縁部には、アルミニウムを素材とする可塑性の支持棒２３が長手方向両端部近傍にかけて組み込まれている。支持棒２３は、本体２を眼鏡の形状・サイズに合わせて変形させたときに、変形後の本体２の形状を不可逆的に固定させる役割を果たす。図２は変形後の本防止用具１を示したものである。
【００１５】
本体２の前方縁部の中央近傍には、本体２が眼鏡の鼻当て付近のレンズ又はリムに係止するように、アルミニウム製で二股形状の係着部材３が下方向に突出する形で設置されている。さらに、本体２の左右の側壁部２２の端部には、眼鏡のテンプルを挟む挟着部材、クリップ４が設置されている（図３）。本用具１は前方中央の係着部材３と両側壁の挟着部材（クリップ）４によって、眼鏡に仮固定される。
【００１６】
装着に際しては、前記本体２を眼鏡のフレームに合わせて指の力で変形させ、係着部材３を眼鏡のリム又はレンズに係着させ、クリップ４で眼鏡の両テンプルを挟み込む。図４は、花粉防止用具１を眼鏡に装着した状態を示す。
【００１７】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、本体１は変形可能であれば他の弾性素材を使用してもよいし、支持棒は錫等の可塑性素材を使用することもできる。
【符号の説明】
【００１８】
１      花粉防止用具
２      本体
２１    橋梁部
２２    側壁部
２３    支持棒
３      係着部材
４      挟着部材（クリップ）
５      眼鏡
５１    レンズ
５２    リム
５３    テンプル
【図１】
0003204142.tif 000003
【図２】
0003204142.tif 000004
【図３】
0003204142.tif 000005
【図４】
0003204142.tif 000006
(57)【要約】      （修正有）【課題】車両の運転など手を使う行動や作業において、特殊な装置を用いることなく低コストで居眠りを防ぐ手袋を提供する。【解決手段】手袋は、手を覆う手袋本体１０と、手袋本体１０の掌側の裏面から手袋本体１０の内側に突出する突出部２０と、を備えている。【選択図】図３
0003204162.tif 000002
【実用新案登録請求の範囲】
【請求項１】
手を覆う手袋本体と、手袋本体の掌側の裏面から手袋本体の内側に突出する突出部と、を備えることを特徴とする手袋。
【考案の詳細な説明】
【技術分野】
【０００１】
本考案は、手袋に関する。
【背景技術】
【０００２】
車両の運転を長時間行うと、眠気に襲われることがあり、場合によっては交通事故を引き起こすことがある。
車両の運転中の眠気に関し、特許文献１には、運転者の眠気を推測し、運転者に刺激を与える居眠り防止装置が開示されている。
しかしながら、上記装置は、構成が複雑であり、コストが高くなるという問題がある。
【先行技術文献】
【特許文献】
【０００３】
【特許文献１】特開２０１０−１８６２７６号公報
【考案の概要】
【考案が解決しようとする課題】
【０００４】
本考案は、車両の運転などの手を使う行動や作業において、特殊な装置などを用いることなく低コストで居眠りを防ぐ手袋を提供することを目的とする。
【課題を解決するための手段】
【０００５】
本考案の手袋は、手を覆う手袋本体と、手袋本体の掌側の裏面から手袋本体の内側に突出する突出部と、を備えている。
【考案の効果】
【０００６】
本考案の手袋は、手を使う行動や作業において、突出部が着用者の掌や指を押圧して刺激するので、着用者の居眠りを防ぐことができる。また、手袋は、特殊な装置を用いるものではなく、低コストで製造することができる。
【図面の簡単な説明】
【０００７】
【図１】本考案の実施形態の手袋を示す正面図である。
【図２】本考案の実施形態の手袋を示す背面図である。
【図３】裏返した手袋の掌側を示す斜視図である。
【図４】図１のＩＶ−ＩＶ線断面図である。
【考案を実施するための形態】
【０００８】
以下、本考案の実施形態の手袋について説明する。図１〜図４は本実施形態の手袋を示す。手袋は、手袋本体１０と、突出部２０と、を備えている。
なお、手袋は、両手に対するものであってもよいし、片手に対するものであってもよいが、ここでは説明の便宜上片側の手袋について説明する。
【０００９】
手袋本体１０は、手を覆うものであり、綿製の生地を裁断することにより手の親指の掌側部分および甲側部分ならびに親指を除く部分の掌側部分および甲側部分を形成し、次いでこれらを縫製することにより形成される。
【００１０】
なお、手袋本体１０の素材は綿以外の繊維であってもよい。また、生地は織布でも不織布でもよい。また、手袋本体１０は、上記以外の方法で形成してもよく、例えば編製したものであってもよい。また、手袋本体１０は、樹脂またはゴムにより下記突出部２０と共に一体的に形成したものであってもよい。
【００１１】
突出部２０は、図３および図４に示すように、手袋本体１０の掌側の裏面から手袋本体１０の内側に突出している。突出部２０は、略三角錐状であり、その底面が手袋本体１０の掌側の裏面に接着剤等の接着手段により接着されている。突出部２０は、手に痛みを与えない程度の固さと弾力性を備えるものが好ましく、その素材としては、樹脂またはゴムなどが挙げられる。
【００１２】
なお、突出部２０は、樹脂またはゴム以外の素材で形成されていてもよく、またその形状も手袋本体１０の掌側の裏面から手袋本体１０の内側に突出するものであればどのような形状であってもよい。また、突出部２０は、手袋本体１０の裏面のうち、掌側だけでなく、甲側に設けてもよい。また、突出部２０は、手袋本体１０の形成前、すなわち生地の裁断前に生地に取り付けてもよいし、生地の裁断後、縫製後または編製後に取り付けてもよい。また、突出部２０の手袋本体１０への取付けについては、手袋本体１０に取り付けられる方法であればどのようなものであってもよい。
【００１３】
上記手袋は、一般的な手袋と同様に手に装着して用いるものであり、手の保護、運転または各種作業などのために用いることができる。
【００１４】
上記手袋は、上記手袋を手に着用して物を握ったり押したりすると、突出部２０が着用者の掌や指を押圧するので、着用者の居眠りを防止することができる。例えば、車両の運転の際、上記手袋を着用すると、突出部２０がハンドルを握る手を押圧するので、着用者の居眠りが防止され、その結果居眠りに伴う交通事故を防ぐことができる。
また、上記手袋は、特殊な装置を用いることなく低コストで製造することができる。
【００１５】
本考案の手袋は、上記実施形態に特に限定されるものではなく、本考案の要旨の範囲内において適宜変更することができる。
【符号の説明】
【００１６】
１０    手袋本体
２０    突出部
【図１】
0003204162.tif 000003
【図２】
0003204162.tif 000004
【図３】
0003204162.tif 000005
【図４】
0003204162.tif 000006
(57)【要約】      （修正有）【課題】開いて立てかけた楽譜本が演奏途中で閉じないように押えることができ、かつ、簡易にピアノなどに装着することができる楽譜本押えを提供する。【解決手段】挟持体２と譜面押え体３とを有し、挟持体２は、基端部５から一対の脚部６，６が延びて形成され、基端部５は、一対の脚部６，６が開閉方向に可動な弾性変形能を有し、譜面押え体３は、コイルばね部７と譜面押え部８とからなり、コイルばね部７と譜面押え部８とは一本の弾性線材によって連続形成されており、コイルばね部７は基端部５に埋設され、譜面押え部３が、脚部６の延びる方向に対し直交する方向に伸長されてなる。【選択図】図１
0003204161.tif 000002
【実用新案登録請求の範囲】
【請求項１】
挟持体と譜面押え体とを有し、
挟持体は、基端部から一対の脚部が延びて形成され、
基端部は、一対の脚部が開閉方向に可動な弾性変形能を有し、
譜面押え体は、コイルばね部と譜面押え部とからなり、
コイルばね部と譜面押え部とは一本の弾性線材によって連続形成されており、
コイルばね部は前記基端部に埋設され、
前記譜面押え部が、脚部の延びる方向に対し直交する方向に伸長されてなる
ことを特徴とする楽譜本押え。
【請求項２】
譜面押え部の先端が円形のリングに形成されていることを特徴とする請求項１に記載の楽譜本押え。
【考案の詳細な説明】
【技術分野】
【０００１】
この考案は、楽譜本押えに関するものである。
【背景技術】
【０００２】
従来、ピアノを演奏する際にはピアノの蓋の内側に装置されている譜面置きに譜面を立てかけて演奏するのであるが、1枚ものの譜面の場合はともかく、楽譜本の場合には、開いて立てかけても楽譜本が閉じようとする力が働き、演奏途中で楽譜本が閉じてしまう。このため、押さえ具を備えた楽譜立てかけ構造が提供されているが、複雑な構造となり、簡易にピアノに装着することは困難であった。
【先行技術文献】
【特許文献】
【０００３】
【特許文献１】特開平７−３１１５７２号公報
【考案の概要】
【考案が解決しようとする課題】
【０００４】
本考案は、このような場合に好適に使用され、しかも簡易に使用できる楽譜本押えを提供することを課題とするものである。
【課題を解決するための手段】
【０００５】
本考案は、挟持体と譜面押え体とを有し、挟持体は、基端部から一対の脚部が延びて形成され、基端部は、一対の脚部が開閉方向に可動な弾性変形能を有し、譜面押え体は、コイルばね部と譜面押え部とからなり、コイルばね部と譜面押え部とは一本の弾性線材によって連続形成されており、コイルばね部は前記基端部に埋設され、前記譜面押え部が、脚部の延びる方向に対し直交する方向に伸長されてなる
ことを特徴とする楽譜本押えである。
【考案の効果】
【０００６】
このように構成することにより、弾性素材によって挟持体を製作するとともに弾性線材から譜面押え体を製作し、譜面押え体を挟持体に埋設するだけで製作できるとともに、挟持体によって、ピアノの蓋を挟持すれば、挟持体の基端部から譜面押え部が、脚部の延びる方向に対し直交する方向に伸長されてなるので、譜面を押えることができ、譜面押え部及びその基端に位置するコイルばね部によって、譜面をめくるときには容易に持ち上がり、譜面のめくり作業に支障がなく、譜面のめくり作業が終われば、また譜面を押さえることができるものである。
【図面の簡単な説明】
【０００７】
【図１】本考案の一実施例を示す斜視図である。
【図２】本考案の一実施例の分解斜視図である。
【図３】上記実施例のピアノの蓋への取付状態を示す側面図である。
【図４】上記実施例の使用状態を示す斜視図である。
【考案を実施するための形態】
【０００８】
以下、実施態様につき説明する。
【０００９】
図１は、本考案楽譜本押え１の一実施例を示す斜視図である。２は挟持体であり、３は譜面押え体である。挟持体２は、基端部５から一対の脚部６，６が延びて形成されている。基端部５はゴム系材料によって成形されており、弾性変形能を有しており、一対の脚部６，６は開閉可能である。
【００１０】
この実施例の挟持体２は、弾性復元力を有するゴム材若しくはゴム系樹脂材によって型成形されており、基端部５と脚部６とが同じ材質によって一体成形されている。基端部５には、円形穴５１が長手方向に貫通して形成されており、円形穴５１は基端面５２に開口している溝５３に連通している。これにより、基端部５は内側部分５４においてのみ連続し外側部分は開閉可能な状態となる。
【００１１】
脚部６，６は、左右一対をなしており、脚部６の基端部分６１から先端部分６２の近傍部分まで平行な板状に形成され、先端部分６２は、左右から内側に曲がるように成形されており、さらに先端６３は、間隙６４を開けて突合している。
【００１２】
譜面押え体３は、基端側のコイルばね部７と、先端側の譜面押え部８とからなり、１本の金属線からなる。この金属線は熱処理が施されてバネ効果を有している。
コイルばね部７は、前記した脚部６の円形穴５１の内径よりわずかに大きい程度の外形を有する円筒型に成形されており、コイルばね部７を強制的に押し込むことにより、丁度円形穴５１に嵌合して抜けないように固定される。なお、嵌合に際して、一対の脚部６，６を互いに近接させる方向に押すことにより、円形穴５１の空間を広げ、この状態でコイルばね部７を嵌め込み固定することもできる。コイルばね部７の上端から譜面押え部８が線状に伸長し、先端に円形のリングの形をした譜面当接部８１が形成されている。譜面当接部８１を円形のリングの形に形成したことにより、譜面当接部８１によって譜面を傷めることなく譜面を押えることができる。円形のリングの向きは、コイルばね部７を回転することにより変えることができる。また、円形穴５１の基端方向に受け具を突設させ、筆記具を差しておくようにすることもできる。
【００１３】
本実施例は、このようになるので、脚部６，６を基端部５の弾性変形により容易に開くことができ、ピアノ９の蓋９１などに装着可能となると共に、装着した際、譜面当接部８１が丁度譜面の表面に位置することとなり、譜面押えとして好適に使用しうるものである。
【符号の説明】
【００１４】
１    楽譜本押え
２    挟持体
３    譜面押え体
５    基端具
６    脚部
７    コイルばね部
８    譜面押え部
８１  譜面当接部
９    ピアノ
１０  譜面本
【図１】
0003204161.tif 000003
【図２】
0003204161.tif 000004
【図３】
0003204161.tif 000005
【図４】
0003204161.tif 000006
(57)【要約】      （修正有）【課題】サイズの変更を可能にし、亜鉛メッキボルトナットによる防虫効果を得ることができる木製プランターを提供する。【解決手段】ケンパス材を利用した、耐久性・保水性・排水性に優れた板を亜鉛メッキボルトナットで接合して木製プランターを構成している。【選択図】図３
0003204116.tif 000002
【実用新案登録請求の範囲】
【請求項１】
リサイクル材（ケンパス材）を利用した環境に優しく、耐久性・保水性・排水性に優れ、亜鉛メッキボルトナットを使用した防虫効果も得られるサイズ可変の木製プランター
【考案の詳細な説明】
【技術分野】
【０００１】本考案は、亜鉛メッキボルトナットを使用した木製プランターに関する。
【背景技術】
【０００２】従来の木製プランターは、主に木製の板に釘を打ちつけて固定する工法で現在も利用されている。
【考案の概要】
【考案が解決しようとする課題】
【０００３】従来の釘を打ちつけて固定する工法は、木製プランターのサイズを変更する事は出来ず、防虫効果もなかった。
【課題を解決するための手段】
【０００４】固定する部材を釘ではなく、亜鉛メッキボルトにすることによって、ボルトの長さを変えることによって木製プランターのサイズを容易に変更できる。
【考案の効果】
【０００５】ボルトの長さに応じた板の枚数を取り付ける事で、木製プランターを任意のサイズに容易に変更でき、亜鉛メッキボルトを使用する事によって防虫効果も得られる。
【図面の簡単な説明】
【０００６】
【図１】本考案の木製プランターの上面から見た図である。
【図２】本考案の木製プランターの正面から見た図である。
【図３】本考案の木製プランターの立体図である。
【考案を実施するための形態】
【０００７】図３に示すように板を組み、亜鉛メッキボルトによって固定する。
【図１】
0003204116.tif 000003
【図２】
0003204116.tif 000004
【図３】
0003204116.tif 000005
【手続補正書】
【提出日】平成27年12月3日(2015.12.3)
【手続補正１】
【補正対象書類名】実用新案登録請求の範囲
【補正対象項目名】全文
【補正方法】変更
【補正の内容】
【実用新案登録請求の範囲】
【請求項１】
環境に優しく、耐久性・保水性・排水性に優れたケンパス材等のリサイクル木材を利用した複数の板を組み、組んだ複数の板を防虫効果も得られる亜鉛メッキボルトナットで固定したサイズ可変の木製プランター
(57)【要約】【課題】  本考案は、使用者の嗜好に応じた種々の化粧を行うことができる眉毛隠しシールを提供することを目的とする。【解決手段】  眉毛に対応する形状かつ眉毛より大きい面積を有するように、平面状のシートによって形成され、中央部分１０Ａから外縁部分１０Ｂに向かって、肌色から徐々に透明に変化するように、肌色から透明へのグラデーションが形成され、肌に接着しない非接着面側は、化粧可能な材質によって形成され、肌に接着する接着面側には、接着剤が塗布されている。【選択図】  図１
0003204695.tif 000002
【実用新案登録請求の範囲】
【請求項１】
眉毛に対応する形状かつ眉毛より大きい面積を有するように、平面状のシートによって形成され、
中央部分から外縁部分に向かって、肌色から徐々に透明に変化するように、肌色から透明へのグラデーションが形成され、
肌に接着しない非接着面側は、化粧可能な材質によって形成され、肌に接着する接着面側には、接着剤が塗布された
ことを特徴とする眉毛隠しシール。
【考案の詳細な説明】
【技術分野】
【０００１】
本考案は、眉毛隠しシールに関する。
【背景技術】
【０００２】
近年、化粧用品として、種々の商品が開発及び提案されている。
【考案の概要】
【考案が解決しようとする課題】
【０００３】
本考案は、使用者の嗜好に応じた種々の化粧を行うことができる眉毛隠しシールを提供することを目的とする。
【課題を解決するための手段】
【０００４】
本考案の一態様による眉毛隠しシールは、
眉毛に対応する形状かつ眉毛より大きい面積を有するように、平面状のシートによって形成され、
中央部分から外縁部分に向かって、肌色から徐々に透明に変化するように、肌色から透明へのグラデーションが形成され、
肌に接着しない非接着面側は、化粧可能な材質によって形成され、肌に接着する接着面側には、接着剤が塗布された
ことを特徴とする。
【考案の効果】
【０００５】
本考案の眉毛隠しシールによれば、使用者の嗜好に応じた種々の化粧を行うことができる。
【図面の簡単な説明】
【０００６】
【図１】本考案の実施の形態による眉毛隠しシールの構成を示す平面図である。
【考案を実施するための形態】
【０００７】
以下、本考案の実施の形態について図面を参照して説明する。
【０００８】
図１に、本考案の実施の形態による眉毛隠しシール１０の構成を示す。このうち、図１（ａ）は、眉毛隠しシール１０の平面図を示し、図１（ｂ）は、眉毛隠しシール１０の使用例を示す。
【０００９】
図１（ａ）に示すように、眉毛隠しシール１０は、眉毛を覆い隠すことができる程度の大きさ及び形状を有し、例えばシリコンなどからなる平面状の薄いシートによって構成されている。
【００１０】
眉毛隠しシール１０の裏面（すなわち、肌に接着するための接着面）には、医療用の接着剤が塗布され、肌に対して当該眉毛隠しシール１０を着脱し得るようになされている。
【００１１】
眉毛隠しシール１０は、中央部分１０Ａから外縁部分１０Ｂに向かって、肌色から徐々に透明に変化するように、肌色から透明へのグラデーション（図示せず）が形成されている。また、眉毛隠しシール１０の中央部分１０Ａは、未透過加工が施され、眉毛隠しシール１０を肌に装着した際に、眉毛が透けて見えないようになされている。
【００１２】
眉毛隠しシール１０の表面（すなわち、肌に接着しない非接着面）は、光沢がないマットな材質、すなわち肌に近く化粧可能な材質によって形成されている。
【００１３】
すなわち、眉毛隠しシール１０は、眉毛に対応する形状かつ眉毛より大きい面積を有するように、平面状のシートによって形成され、中央部分１０Ａから外縁部分１０Ｂに向かって、肌色から徐々に透明に変化するように、肌色から透明へのグラデーションが形成され、肌に接着しない非接着面側は、化粧可能な材質によって形成され、肌に接着する接着面側には、接着剤が塗布されている。
【００１４】
図１（ｂ）に示すように、例えば仮装などを行う場合には、眉毛を覆い隠すように眉毛隠しシール１０を肌に装着し、眉毛隠しシール１０上に化粧を行うことができる。
【００１５】
このように本実施の形態によれば、使用者の嗜好に応じた種々の化粧を行うことができる。
【符号の説明】
【００１６】
１０  眉毛隠しシール
１０Ａ  中央部分
１０Ｂ  外縁部分
【図１】
0003204695.tif 000003
(57)【要約】      （修正有）【課題】シングルレバー水栓の吐水口において、操作性がよくコンパクトでかつ清潔な水流開閉機構およびそれを備えた手元水栓を提供する。【解決手段】水流開閉機構は、シングルレバー水栓の吐水口１に取り付けて使用する本体に設ける水路の開閉を、端部金具３のねじを介して保持されその水路出口端を覆うように塞ぐことが可能な大きさの０リング７付スピンドル５をねじの回転で上下させて行う。水流開閉機構を備えた手元水栓２は、開閉つまみ６が吐水口１の下方に位置し、水流で洗浄される構造をもつ。【選択図】図１
0003204603.tif 000002
【実用新案登録請求の範囲】
【請求項１】
シングルレバー水栓の吐水口に取り付けるコンパクトな水流開閉機構
【請求項２】
開閉つまみが吐水口の下方に位置し、水流で洗浄される構造の手元水栓
【考案の詳細な説明】
【技術分野】
【０００１】
家庭用節水器具
【背景技術】
【０００２】
上水道の水圧で水流を開閉する器具にはパッキンやOリングを用いて水密化をはかる技術が必要であり、ここではそのような従来技術を利用している。また、マニュアルで弁を開閉するバルブ動作には水圧を利用する倍力装置の利用が考えられるが、本考案ではコンパクトな形状を重視して直接開閉する弁の形式を用いている。
【先行技術文献】
【非特許文献】
【０００３】
【非特許文献１】公開実用新案広報(U)  昭61-169175
【考案の概要】
【考案が解決しようとする課題】
【０００４】
家庭の台所の給水栓として近年は水とお湯を合わせて供給するいわゆるシングルレバー水栓が一般的となっていて、その構造上、水栓レバーの位置と吐水口との位置が30cm程度離れていることはやむを得ないことではあるが、この距離のために、食器洗浄などを行う際には手の運動に要する間水を無駄に流すことになっている。節水を心がける消費者が別の食器を取り上げるたびにレバー操作を行って給水を止める作業を行うこととしてもこの無駄な放水はなくすことはできない。本考案は手の運動に要する時間を限りなく０に近づけるために吐水口にコンパクトな水栓を設置するものである。従来、吐水口に水栓を設置する手元水栓の考案はなされているが、このような水栓はシングルレバー水栓の吐水口につけるには大きすぎて操作性が悪い上、洗剤で濡れた手の汚れが付着することは避けられない。シングルレバー水栓の吐水口には操作性がよくコンパクトでかつ清潔なものが望まれる。
【課題を解決するための手段】
【０００５】
シングルレバーの吐水口にコンパクトなねじ式の水栓を取り付けその開閉つまみを吐水口下流に配置し、流水で自ずと洗浄される形の手元水栓を用いる。
【考案の効果】
【０００６】
本考案の節水用手元水栓は、無駄な水量をなくすために水栓の開閉をし易くする効果があり、図１は直径６mmの流路を開閉する構造として製作した試作品を示している。シングルレバー水栓で水流を絞り過ぎることによるお湯温度無調整の（冷たくなったり熱くなったりする）事態が発生することがあるが、これは別途解決すべき項目である。また、食器洗浄機導入による節水には本発明は効力がないが、手洗いで10枚の皿を同様に洗った場合、本発明品を利用する場合、約30%の節水が可能となった。
【図面の簡単な説明】
【０００７】
【図１】シングルレバー水栓の吐水口に本体１をねじ込んで取り付ける。この図1ではシングルレバー水栓側を雄ねじとしている。雌ねじ２の底にはパッキンが必要である。水流はつまみ６を回すことによりスピンドル５が上に上がり、Oリング７が壁面に押し付けられて水路が塞がれる。図1では流路は開の状態であり、水はスピンドル５を保持する端部金具３に開けられた穴４から流れ出る。試作品では雌ねじはM22であり、穴4の直径は2mmでスピンドル軸を中心とする円周上に8個開けてある。
【図２】図2は本節水用手元水栓２をシングルレバー水栓の吐水口１に取り付けた状態を示す。
【実施例】
【０００８】
図2にシングルレバー水栓の吐水口１に取り付けた節水用手元水栓２を示す。吐水口の高さが本水栓のために３ｃｍほど下にあるが、コンパクトな形状であるため吐水口下の作業空間に及ぼす影響は小さい。
【産業上の利用可能性】
【０００９】
本考案は家庭用台所のシングルレバー水栓開閉にかかる手の動作範囲を小さくして節水を実現する目的でなされたものであるが、家庭用に限らずマニュアルで水栓を開閉する場面では吐水口のそばに開閉具を設置することにより節水が期待できるものである。
【図１】
0003204603.tif 000003
【図２】
0003204603.tif 000004
【手続補正書】
【提出日】平成28年4月1日(2016.4.1)
【手続補正１】
【補正対象書類名】実用新案登録請求の範囲
【補正対象項目名】全文
【補正方法】変更
【補正の内容】
【実用新案登録請求の範囲】
【請求項１】
シングルレバー水栓の吐水口に取り付けて使用する本体に設ける水路の開閉を、端部金具のねじを介して保持されその水路出口端を覆うように塞ぐことが可能な大きさのOリング付スピンドルをねじの回転で上下させて行う水流開閉機構
【請求項２】
開閉つまみが吐水口の下方に位置し、水流で洗浄される構造をもつ、請求項１に記載された水流開閉機構を備えた手元水栓
(57)【要約】      （修正有）【課題】男性用小便器の上方に設置することで，小便をこぼした事による床面の汚れの防止と隣接者とのプライバシーを保護する小物置板を提供する。【解決手段】小便器３の上方に掌大の覗き穴１を開けた小物置板２を設置することで，小物を所持している際は両手が空いて小用が足しやすくなる他，小物置板があることから，覗き穴を通さなければ小用の動作確認ができないことで，前進又は前傾姿勢となると同時に覗き穴から小用の動作を注視する為小便のこぼしを防止すると共に，眼下に小物板２がある事から隣接者の用足しの動作が目視できない状態となり，プライバシーも保護される。【選択図】図１
0003204604.tif 000002
【実用新案登録請求の範囲】
【請求項１】
小便器の上方に設置する小物置板に，掌大の覗き穴を開けたことを特徴とする小物置板
【考案の詳細な説明】
【技術分野】
【０００１】  本考案は，男性用小便器に設置する小物置板に掌大の覗き穴を設けた，男性用小便器小物置きに関するものである。
【背景技術】
【０００２】  男性用トイレの隣接者との間に設置された仕切板が近年減少し，プライバシーが侵害されている状況と共に，小便をこぼさない様に等と記載された注意書きが散見される現状がある。
【考案の概要】
【考案が解決しようとする課題】
【０００３】  小便器上方に覗き穴付きの小物置板を設置することにより，小物を所持していれば両手が空くと共に，覗き穴から小用を足す動作を確認することから前進，または身体を前方に傾ける動作を余儀なくされること及び，小用を足す動作注視することから小便をこぼすことが減少し，さらに自己並びに隣接者のプライバシーを確保しようとするものである。
【課題を解決するための手段】
【０００４】  本考案は，男性用小便器に設置する小物置きに覗き穴を設け，小用を足す際に所持している小物が置けることから両手が空き小用の動作が楽にり，覗き穴から小用を足す動作を確認することから必然的に，前進又は前傾姿勢になることから小便をこぼすという問題点と隣接者のプライバシー侵害という問題点を解決している。
【考案の効果】
【０００５】  上述の様に，本考案の小便器用覗き穴付き小物置板は，数箇所の便器が並んでいる場合に羞恥心などから，間隔を開けて利用されている現実及び，小便をこぼさない様にとの注意書きがされている現状がある中，本考案の物件を設置すれば，覗き穴から，覗かずに小用が足せないことから，前進又は前傾姿勢をとっての用足し並びに用足し動作の注視により，小便のこぼれを解決し，小物置板の形状から自己又は隣接者の用足しが直視できないことから自己又は隣接者のプライバシーも保護され，小便器の間隔を開けての利用についても解決される。
【図面の簡単な説明】
【０００６】
【図１】本考案の小便器用覗き穴付き小物置板の実施例を示す俯瞰図である。
【図２】本考案の小便器用覗き穴付き小物置板の実施例を示す正面図である。
【考案を実施するための形態】
【０００７】  数台の便器が設置されたトイレであれば，各小便器に対する覗き穴を設け，１台の小便器であれば，ひとつの覗き穴を設けた板を小便器上方に設置にする。
【実施例】
【０００８】  以下，図面に従って実施例を説明する。１は小物置板に設けられた覗き穴，２は覗き穴が設けられた小物置板，３は小便器。
【符号の説明】
【０００９】１  覗き穴
２  小物置板
３  小便器
【図１】
0003204604.tif 000003
【図２】
0003204604.tif 000004
(57)【要約】【課題】従来から、複数のパーツを重ねてチェーンに通すタイプのペンダントは配列や数を変えることでしかデザインを楽しむことができなかった。【解決手段】本考案は従来のようなチェーンに通し重ねて使用するペンダントのそれぞれのパーツに磁石を使用することで今までにないデザインを楽しめるようにした。パーツを取り外し容易に組み換えや他のチェーンを使いデザインを楽しめる。【選択図】図１
0003204620.tif 000002
【実用新案登録請求の範囲】
【請求項１】
チェーンに複数のパーツを通した後、複数のパーツを重ねてなるペンダントにおいて、各パーツに磁石を使用し、各パーツの取り外しを容易にすることで、デザイン性を豊富にすることを特徴とするペンダント。
【考案の詳細な説明】
【技術分野】
【０００１】  本考案は、複数パーツから成るペンダントの組み合わせにより多様なデザインを楽しむことができる装身具に関する。
【背景技術】
【０００２】  従来から、複数のパーツを重ねてチェーンに通すタイプのペンダントは配列や数を変えることでしかデザインを楽しむことができなかった。
【先行技術文献】
【特許文献】
【０００３】
【特許文献１】登録実用新案第３０５０９４６号公報
【考案の概要】
【考案が解決しようとする課題】
【０００４】  従来の複数パーツのネックレスのパーツ配列の変化、使用パーツの数の変化に加え更なるデザイン変化の幅を持たせようとしたものである。
【課題を解決するための手段】
【０００５】  本考案は従来のようなチェーンに通し重ねて使用するペンダントのそれぞれのパーツに磁石を使用することで今までにないデザインを楽しめるようにした。従来どおりのパーツ単体での使用も可能である。
【考案の効果】
【０００６】  上述の様に、パーツ構造に磁石を使用することを特徴とする。磁気を使用する効果として吸着力、反発力を利用しデザイン変化を楽しむことができる。
【図面の簡単な説明】
【０００７】
【図１】本考案ペンダント全体図である。
【図２】本考案ペンダント磁力反発時全体図である。
【考案を実施するための形態】
【０００８】  磁石の反発力を利用しパーツ同士が接することなく横に並ぶデザインを演出するため反発力でペンダントが回転しないようにするためレール状のパーツに合わせたバチカン部分の形状とする。３つのパーツから成るデザインとする場合、あらかじめ決めた配列の時、磁力で吸着し合うように磁石配列を決め並び替えたときに磁力の反発が生まれるようにする。パーツの組み換えを容易にするため留め具が通るサイズのバチカンとする。
【実施例】
【０００９】すべてのパーツを使用し、磁石の吸着力を利用した場合［図１］の形状となる。
側面パーツＡ３と側面パーツＢ５を一度チェーン１から外し［図２］のように並び変えたとき磁石の反発力を利用しこのようにパーツの間に隙間の開いたデザインとなる。【００１０】  チェーン１とレールパーツ２のみで使用することや、側面パーツＡ３、中央パーツ４、側面パーツＢ５をそれぞれ単体として他のチェーンに通して使用することでデザインを多様に楽しむことができる。
【産業上の利用可能性】
【００１１】本考案はペンダントを製造する産業で利用される。
【符号の説明】
【００１２】１  チェーン
２  レールパーツ
３  側面パーツＡ
４  中央パーツ
５  側面パーツＢ
６  留め具
【図１】
0003204620.tif 000003
【図２】
0003204620.tif 000004